(57)【特許請求の範囲】
【請求項１】
炭素数８〜１８のアルキル基を有するジフェニルエーテルジスルホン酸ナトリウムと、
炭素数６〜１８のアルカン若しくはアルケンモノ又はジカルボン酸と
を含み、かつ、
シクロアルキル基の炭素数が４〜１０のＮ−シクロアルキルモノ又はジエタノールアミン、シクロアルキル基の炭素数が４〜１０のＮ，Ｎ−ジシクロアルキルモノエタノールアミン及びアルキル基の炭素数が１〜６のＮ−アルキルモノ又はジエタノールアミンの中から選ばれる少なくとも一種を含む水溶性洗浄液。
【請求項２】
アルミニウム及びアルミニウム合金の変色防止用である請求項１に記載の水溶性洗浄液。
【発明の詳細な説明】
【技術分野】
【０００１】
本発明は、特にアルミニウム及びアルミニウム合金用として好適な水溶性洗浄液に関し、さらに詳しくは、金属加工後のアルミニウム及びアルミニウム合金に対して、良好な耐食性を有すると共に、新生面の変色を防止し、かつ防錆性及び消泡性にも優れる水溶性洗浄液に関するものである。
【背景技術】
【０００２】
金属加工に用いられる金属加工液には油系と水系があるが、冷却性、浸潤性に優れ、火災の危険がない水系が多用されている。
水系金属加工液による加工後のワークは、水溶性洗浄液による洗浄が行われ、ワークに付着した水溶性切削・研削液や切粉が除去される。
水系金属加工液による加工後に使用される水溶性洗浄液の要求性能は、洗浄性、耐食性（アルミニウム、アルミニウム合金、鉄などの金属）、耐変色性、消泡性、耐腐敗性、安全性などが挙げられる。特に、アルミニウムやアルミニウム合金材料の場合、耐食性、耐変色性が重要となる。
【０００３】
アルミニウムやアルミニウム合金用の腐食・変色防止剤や水溶性洗浄液の先行技術としては、例えば以下に示す特許文献１〜７を挙げることができる。
特許文献１には、台所製品、厨房製品などのＡ１系材質からなる表面の腐食、変色の影響を軽減乃至防止することができるＡ１系材質用腐食・変色防止剤として、特定のポリアミンカルボン酸塩及び／又は特定のホスホノカルボン酸塩が開示されている。しかしながら、この技術においては、消泡性については全く考慮されていないため、工業用水溶性洗浄液には、そのまま適用しにくい。
特許文献２には、アルミニウムやアルミニウム合金の変色しやすいｐＨ（９以上）領域でも変色防止することができ、かつ調合安定性が良好な変色防止剤として、ヒドロキシ脂肪酸またはヒドロキシ脂肪酸の脱水縮合物のリン酸エステルのアルカリ金属塩、アンモニウム塩またはアミン塩の中から選ばれる少なくとも１種を含有するものが開示されているが、製造法が煩雑である上、消泡性が全く考慮されていないため、工業用水溶性洗浄液にはそのまま適用しにくい。
【０００４】
特許文献３には、アルミニウム又はその合金材料の切削・研削加工時やその加工後の放置期間中における該金属の変色を効果的に防止できる水溶性切削・研削油剤として炭素数１３〜２５の主鎖を有する二塩基酸塩を含有するものが開示されているが、二塩基酸が比較的油溶性のため、希釈液の外観が不透明になったり、原液保管時に層分離する恐れがあり、また、消泡性が悪化する場合がある。
特許文献４には、炭素数１４〜２２の不飽和脂肪酸と無水マレイン酸またはアクリル酸との熱による付加反応生成物のアルカリ金属塩、アンモニウム塩、または、アミン塩を含有するアルミニウム及びその合金用変色防止剤が開示されている。しかしながら、製造法が煩雑である上、消泡性が全く考慮されていないため、工業用水溶性洗浄液にはそのまま適用しにくい。
特許文献５には、分子量５００〜２０００のポリブチレングリコールと酸無水物とのジアシル化反応物のアルカリ金属塩、アンモニウム塩、または、アミン塩を含有するアルミニウム及びその合金用変色防止剤が開示されている。しかしながら、前記特許文献４と同様に、製造法が煩雑である上、消泡性が全く考慮されていないため、工業用水溶性洗浄液にはそのまま適用しにくい。
【０００５】
特許文献６には、特定のアンモニウムカチオンと、ハロゲン原子を有しないアニオンとからなる化合物を含有するアルミニウム材用表面防汚剤が開示されている。しかしながら、この表面防汚剤は、消泡性については全く考慮されていないため、工業用水溶性洗浄液にはそのまま適用しにくい。
さらに、特許文献７には、厨房の食器や調理器具に利用されているアルミニウム製品の洗浄剤として、少なくとも分岐鎖を有し、主鎖から分岐する炭素原子に不飽和結合を有する不飽和二塩基酸と、アルカノールアミンと、ケイ酸塩を含むアルカリ洗浄剤用添加剤が開示されている。しかしながら、該二塩基酸が比較的油溶性のため、希釈液の外観が不透明になったり、原液保管時に層分離する恐れがあり、また、消泡性が悪化する場合がある。さらに、ケイ酸塩は、水リンスがない場合が多い工業洗浄ではワーク表面の白残りが問題になる。
【先行技術文献】
【特許文献】
【０００６】
【特許文献１】特開平１１−２６９６７３号公報
【特許文献２】特開２０００−３１３９７５号公報
【特許文献３】特開２００３−４１２８５号公報
【特許文献４】特開２００６−９１０５号公報
【特許文献５】特開２００６−２１３９８２号公報
【特許文献６】特開２００８−５０４０９号公報
【特許文献７】特開２００８−２９７４６９号公報
【発明の概要】
【発明が解決しようとする課題】
【０００７】
本発明は、このような状況下になされたもので、特に、金属加工後のアルミニウム及びアルミニウム合金に対して、良好な耐食性を有すると共に、新生面の変色を防止し、かつ防錆性及び消泡性に優れる水溶性洗浄液を提供することを目的とするものである。
【課題を解決するための手段】
【０００８】
本発明者らは、前記目的を達成するために鋭意研究を重ねた結果、（Ａ）成分グループとして、特定の有機スルホン酸ナトリウム及び特定のアルキル硫酸ナトリウムの中から選ばれる少なくとも一種と、（Ｂ）成分グループとして、特定の有機モノカルボン酸又はジカルボン酸、及び特定のアルキル基やシクロアルキル基を有するモノ又はジエタノールアミンの中から選ばれる少なくとも一種とを、所定の組合せで含む水溶性洗浄液が、その目的に適合し得ることを見出した。本発明は、かかる知見に基づいて完成したものである。
なお、（Ａ）成分グループの成分は、（Ａ）炭素数８〜１８のアルキル基を有するジフェニルエーテルジスルホン酸ナトリウム、炭素数８〜１８のアルキル基を有するナフタレンスルホン酸ナトリウム、炭素数１５〜１８のアルキル硫酸ナトリウム、及び炭素数８〜１８のオレフィンスルホン化物のナトリウム塩の中から選ばれる少なくとも一種である。
また、（Ｂ）成分グループの成分は、（Ｂ）炭素数６〜１８のアルカン若しくはアルケンモノ又はジカルボン酸、シクロアルキル基の炭素数が４〜１０のＮ−シクロアルキルモノ又はジエタノールアミン、シクロアルキル基の炭素数が４〜１０のＮ，Ｎ−ジシクロアルキルモノエタノールアミン及びアルキル基の炭素数が１〜６のＮ−アルキルモノ又はジエタノールアミンの中から選ばれる少なくとも一種である。
【０００９】
すなわち、本発明は、
［１］炭素数８〜１８のアルキル基を有するジフェニルエーテルジスルホン酸ナトリウムと、
炭素数６〜１８のアルカン若しくはアルケンモノ又はジカルボン酸と
を含み、かつ、
シクロアルキル基の炭素数が４〜１０のＮ−シクロアルキルモノ又はジエタノールアミン、シクロアルキル基の炭素数が４〜１０のＮ，Ｎ−ジシクロアルキルモノエタノールアミン及びアルキル基の炭素数が１〜６のＮ−アルキルモノ又はジエタノールアミンの中から選ばれる少なくとも一種を含むことを特徴とする水溶性洗浄液、
［２］アルミニウム及びアルミニウム合金の変色防止用である上記［１］に記載の水溶性洗浄液、
を提供するものである。
【発明の効果】
【００１０】
本発明によれば、特に金属加工後のアルミニウム及びアルミニウム合金に対して、良好な耐食性を有すると共に、新生面の変色を防止し、かつ防錆性及び消泡性にも優れる水溶性洗浄液を提供することができる。
【発明を実施するための形態】
【００１１】
本発明の水溶性洗浄液は、（Ａ）炭素数８〜１８のアルキル基を有するジフェニルエーテルジスルホン酸ナトリウム、炭素数８〜１８のアルキル基を有するナフタレンスルホン酸ナトリウム、炭素数１５〜１８のアルキル硫酸ナトリウム、及び炭素数８〜１８のオレフィンスルホン化物のナトリウム塩の中から選ばれる少なくとも一種を含むことを特徴とする。
【００１２】
［（Ａ）成分］
本発明の水溶性洗浄液においては、（Ａ）成分として、下記の一般式で示される、炭素数８〜１８のアルキル基を有するジフェニルエーテルジスルホン酸ナトリウム［式（Ａ−１）］、炭素数８〜１８のアルキル基を有するナフタレンスルホン酸ナトリウム［式（Ａ−２）］、炭素数１５〜１８のアルキル硫酸ナトリウム［式（Ａ−３）］、及び炭素数８〜１８のオレフィン［式（Ａ−４）］スルホン化物のナトリウム塩の中から選ばれる少なくとも一種が用いられる。
【００１３】
【化１】
0005513836.tif 000002
【００１４】
（式中、ｎは８〜１８の整数、ｍは１５〜１８の整数を示す。Ｒ1は水素原子又は直鎖状若しくは分岐状のアルキル基、Ｒ2は直鎖状又は分岐状のアルキル基を示し、Ｒ1とＲ2との合計炭素数は６〜１６である。）
【００１５】
前記の式（Ａ−１）及び式（Ａ−２）におけるＣnＨ(2n+1)−で示される炭素数８〜１８のアルキル基は、直鎖状又は分岐状のいずれであってもよく、例えば各種オクチル基、各種デシル基、各種ドデシル基、各種テトラデシル基、各種ヘキサデシル基、各種オクタデシル基などの炭素数８〜１８の各種アルキル基を挙げることができる。なお、各種アルキル基とは、同一炭素数のアルキル基において、全ての異性体を含むことを意味する。
前記式（Ａ−３）におけるＣmＨ(2m+1)−で示される炭素数１５〜１８のアルキル基は、直鎖状又は分岐状のいずれであってもよく、例えば各種ヘキサデシル基、各種ヘプタデシル基、各種オクタデシル基を挙げることができる。
また、式（Ａ−１）において、ＳＯ3Ｎａ基は、２個のベンゼン環のそれぞれに結合しているが、これに限定されるものではなく、２個のＳＯ3Ｎａ基は、ベンゼン環のどこの位置に結合していてもかまわない。式（Ａ−２）においても、上記と同様に、ＳＯ3Ｎａ基はナフタレン環のどこの位置に結合していてもかまわない。
また、式（Ａ−３）で示されるアルキル硫酸ナトリウムのＣmＨ(2m+1)−Ｏ−ＳＯ3Ｎａは炭素数１５〜１８の直鎖状又は分岐状アルキルアルコールの硫酸エステルナトリウム塩であり、具体的には、直鎖状のセチルアルコールの硫酸エステルナトリウム塩であるＣＨ3（ＣＨ2）14ＣＨ2ＯＳＯ3Ｎａなどを例示することができる。
【００１６】
一方、炭素数８〜１８のオレフィンスルホン化物のナトリウム塩において、式（Ａ−４）で示されるオレフィンは、α位に二重結合を有するα−オレフィン（Ｒ1が水素原子の場合）、及びα位以外に二重結合を有する内部オレフィン（Ｒ1が直鎖状又は分岐状のアルキル基の場合）を含み、いずれも直鎖状又は分岐状のいずれであってもよい。
当該オレフィンのスルホン化物のナトリウム塩は、通常下記の一般式（Ａ−４−ａ）で示されるスルホン酸ナトリウム塩と、一般式（Ａ−４−ｂ）で示されるスルホン酸ナトリウム塩の混合物となる。
【００１７】
【化２】
0005513836.tif 000003
【００１８】
（式中、Ｒ'は水素原子又は直鎖状若しくは分岐状のアルキル基を示し、Ｒ'の炭素数と（ＣＨ2）pの合計炭素数は６〜１６である。）
前記式（Ａ−４−ａ）で示されるスルホン酸ナトリウム塩としては、具体的には、Ｒ'がＣ11Ｈ23であり、（ＣＨ2）pのｐが１であるテトラデセンスルホン酸ナトリウムなどを例示することができる。
【００１９】
これらの（Ａ）成分は、金属に対する洗浄作用を有すると共に、特に金属加工後のアルミニウム及びアルミニウム合金に対して、新生面の変色を防止する作用を有する。本発明の水溶性洗浄液においては、当該（Ａ）成分は、一種を単独で用いてもよいし、二種以上を組み合わせて用いてもよい。
【００２０】
［（Ｂ）成分］
本発明の水溶性洗浄液においては、前述した（Ａ）成分と共に、（Ｂ）成分として、炭素数６〜１８のアルカン若しくはアルケンモノ又はジカルボン酸などの脂肪族カルボン酸成分、シクロアルキル基の炭素数が４〜１０のＮ−シクロアルキルモノ又はジエタノールアミン、シクロアルキル基の炭素数が４〜１０のＮ，Ｎ−ジシクロアルキルモノエタノールアミン及びアルキル基の炭素数が１〜６のＮ−アルキルモノ又はジエタノールアミンなどの脂肪族アミン成分の中から選ばれる少なくとも一種を含有させることができる。
この（Ｂ）成分は、前述した（Ａ）成分の変色防止作用を助長すると共に、アルミニウム及びアルミニウム合金に対する腐食防止作用を有する。また、当該水溶性洗浄液の防腐性及び関連する機器や装置の防錆性を向上させる上、当該水溶性洗浄液における前記（Ａ）成分の安定化に寄与する。
【００２１】
前記アルカン若しくはアルケンモノ又はジカルボン酸におけるアルカン及びアルケンの炭素数は、前述した効果及び当該水溶性洗浄液における溶解性などの観点から、好ましくは６〜１８の範囲で選定される。該アルカン及びアルケンは、直鎖状又は分岐状のいずれであってもよい。
アルカンモノカルボン酸としては、例えばヘプタン酸、イソヘプタン酸、オクタン酸、イソオクタン酸、２−エチルヘキサン酸、ノナン酸、イソノナン酸、デカン酸、イソデカン酸、ラウリン酸、イソドデカン酸、ミリスチン酸、イソテトラデカン酸、パルミチン酸、イソヘキサデカン酸、ステアリン酸、イソオクタデカン酸などが挙げられる。
アルケンモノカルボン酸としては、例えばウンデシレン酸、ｃｉｓ−４−テトラデセン酸（ツズ酸）、ｃｉｓ−５−テトラデセン酸（フィゼテリン酸）、ｃｉｓ−９−テトラデセン酸（ミリストレイン酸）、ｃｉｓ−６−ヘキサデセン酸、ｃｉｓ−９−ヘキサデセン酸（パルミトレイン酸）、ｃｉｓ−６−オクタデセン酸（ペトロセリン酸）、ｃｉｓ−９−オクタデセン酸（オレイン酸）、ｔｒａｎｓ−９−オクタデセン酸（エライジン酸）、ｃｉｓ−１１−オクタデセン酸（アスクレピン酸）、ｔｒａｎｓ−１１−オクタデセン酸などが挙げられる。
【００２２】
アルカンジカルボン酸としては、例えばノナン二酸（アゼライン酸）、デカン二酸（セバシン酸）、ウンデカン二酸、ドデカン二酸、テトラデカン二酸、ヘキサデカン二酸、オクタデカン二酸などが挙げられ、アルケンジカルボン酸としては、例えばデセン二酸、ウンデセン二酸、ドデセン二酸、テトラデセン二酸、ヘキサデセン二酸、オクタデセン二酸などが挙げられる。
また、本発明の水溶性洗浄液においては、（Ｂ）成分のうちの脂肪族カルボン酸成分として、前記のアルカン若しくはアルケンモノ又はジカルボン酸以外に、炭素数７〜１９のモノ又はジヒドロキシ脂肪酸を用いることができる。このモノ又はジヒドロキシ脂肪酸としては、例えば、オキシラウリン酸（サビニン酸）、２−ヒドロキシテトラデカン酸、ヤラピノール酸、１６−ヒドロキシヘキサデカン酸、２−ヒドロキシオクタデカン酸、１２−ヒドロキシ−９−オクタデセン酸、１２−ヒドロキシオクタデカン酸、３−ヒドロキシオクタン酸、３，１１−ジヒドロキシテトラデカン酸、９，１０−ジヒドロキシオクタデカン酸等が挙げられる。
【００２３】
一方、シクロアルキル基の炭素数が４〜１０のＮ−シクロアルキルモノ又はジエタノールアミンとしては、例えばＮ−シクロペンチルモノエタノールアミン、Ｎ−シクロペンチルジエタノールアミン、Ｎ−シクロヘキシルモノエタノール、Ｎ−シクロヘキシルジエタノールアミン、Ｎ−シクロオクチルモノエタノールアミン、Ｎ−シクロオクチルジエタノールアミンなどが挙げられる。シクロアルキル基の炭素数が４〜１０のＮ，Ｎ−ジシクロアルキルモノエタノールアミンとしては、例えばＮ，Ｎ−ジシクロペンチルモノエタノールアミン、Ｎ，Ｎ−ジシクロヘキシルモノエタノールアミン、Ｎ，Ｎ−ジシクロオクチルモノエタノールアミンなどが挙げられる。
アルキル基の炭素数が１〜６のＮ−アルキルモノ又はジエタノールアミンとしては、例えばＮ−メチルモノエタノールアミン、Ｎ−メチルジエタノールアミン、Ｎ−エチルモノエタノールアミン、Ｎ−エチルジエタノールアミン、Ｎ−プロピルモノエタノールアミン、Ｎ−プロピルジエタノールアミン、Ｎ−イソプロピルモノエタノールアミン、Ｎ−イソプロピルジエタノールアミン、Ｎ−ブチルモノエタノールアミン、Ｎ−ブチルジエタノールアミン、Ｎ−イソブチルモノエタノールアミン、Ｎ−イソブチルジエタノールアミン、Ｎ−ペンチルモノエタノールアミン、Ｎ−ペンチルジエタノールアミン、Ｎ−ヘキシルモノエタノールアミン、Ｎ−ヘキシルジエタノールアミンなどが挙げられる。
また、本発明の水溶性洗浄液においては、（Ｂ）成分のうちの脂肪族アミン成分として、前記のＮ−シクロアルキルモノ又はジエタノールアミン、Ｎ，Ｎ−ジシクロアルキルモノエタノールアミン及びＮ−アルキルモノ又はジエタノールアミン以外に、炭素数１〜６のアルカノールアミン（例えば、モノエタノールアミン、ジエタノールアミン、トリエタノールアミン、モノイソプロパノールアミン、ジイソプロパノールアミン、トリイソプロパノールアミン等）、炭素数４〜１０のシクロアルキルアミン（例えば、シクロヘキシルアミン等）、モルホリン、３，３−ジメチルプロパンジアミン等を用いることができる。
【００２４】
本発明の水溶性洗浄液においては、これらの（Ｂ）成分は、一種を単独で用いてもよいし、二種以上を組み合わせて用いてもよいが、前述した当該（Ｂ）成分の効果の観点から、脂肪族カルボン酸成分と脂肪族アミン成分の両方を含むことが好ましく、それらの含有割合は、質量比で通常３０：７０〜５５：４５程度、好ましくは３５：６５〜５０：５０である。
また、本発明の水溶性洗浄液においては、当該（Ｂ）成分の含有量は、前述した（Ｂ）成分の効果が十分に発揮される観点から、前記（Ａ）成分１００質量部に対して、通常１０００〜５０００質量部程度、好ましくは１５００〜３５００質量部である。
【００２５】
[他の配合成分]
本発明の水溶性洗浄液においては、前述した（Ａ）成分及び（Ｂ）成分と共に、必要に応じて他の配合成分として、防錆剤、防食剤、防腐・抗菌剤、消泡剤などを含有させることができる。
＜防錆剤＞
防錆剤としては、例えば炭素数１４〜３６の脂肪族カルボン酸アミド（ミリスチン酸アミド、パルミチン酸アミド及びオレイルアミド等）；炭素数６〜３６のアルケニルコハク酸アミド（オクテニルコハク酸アミド、ドデセニルコハク酸アミド、ペンタデセニルコハク酸アミド及びオクテニルコハク酸アミド等）；シクロヘキシルアミンナイトライト；ベンゾトリアゾール；メルカプトベンゾチアゾール；Ｎ，Ｎ'−ジサリチリデン−１，２−ジアミノプロパン；アリザリン；脂肪族アミンおよびそのアルキレンオキサイド（ＡＯ）付加物等が挙げられる。
これらのうち、好ましいのは脂肪族アミンのＡＯ付加物であり、特に好ましいのはトリエタノールアミン、エチレンジアミンのプロピレンオキサイド（ＰＯ）２〜８モル、特に４モル付加物及びジエチレントリアミンのＰＯ３〜８モル、特に５モル付加物である。
これらは、前記（Ａ）成分１００質量部に対して、通常１０〜２００質量部程度である。
【００２６】
＜防食剤＞
防食剤としては、例えばベンゾトリアゾール系、トリルトリアゾール系、チアジアゾール系、イミダゾール系の各化合物を挙げることができる。これらは、前記（Ａ）成分１００質量部に対して、通常１０〜２００質量部程度である。
【００２７】
＜防腐・抗菌剤＞
防腐・抗菌剤としては、従来公知の化合物、例えばｏ−フェニルフェノール、ｏ−フェニルフェノールＮａ塩、２，３，４，６−テトラクロロフェノール、ｏ−ベンジル−ｐ−クロロフェノール、ｐ−クロロ−ｍ−キシレノールなどのフェノール系化合物；２−ヒドロキシメチル−２−ニトロ−１，３−プロパンジオール、ヘキサヒドロ−１，３，５−トリス（２−ヒドロキシエチル）−ｓ−トリアジン、ヘキサヒドロ−１，３，５−トリエチル−ｓ−トリアジン、１−（３−クロロアリル）−３，５，７−トリアザ−１−アゾニアアダマンタンなどのホルムアルデヒド供与体化合物；サリチルアニリド系化合物；メチレンビスチオシアナート、６−アセトキシ−２，４−ジメチル−ｍ−ジオキサン、５−クロロ−２−メチル−４−イソチアゾリン−３−オン、２−メチル−４−イソチアゾリン−３−オン、４−（２−ニトロブチル）モルホリン、４，４’−（２−エチル−２−ニトロトリメチレン）ジモルホリンなどのその他化合物を挙げることができる。含有量は特に制限はなく、適宜量用いられる。
【００２８】
＜消泡剤＞
消泡剤としては、高分子シリコーン系消泡剤が好ましく、この高分子シリコーン系消泡剤を含有させることにより、消泡性が効果的に発揮される。
前記高分子シリコーン系消泡剤としては、例えばオルガノポリシロキサンを挙げることができ、特にトリフルオロプロピルメチルシリコーン油などの含フッ素オルガノポリシロキサンが好適である。この高分子シリコーン系消泡剤は消泡効果及び経済性のバランスの点から、前記（Ａ）成分１００質量部に対して、通常１０〜１００質量部程度である。
【００２９】
［水溶性洗浄液の使用形態］
本発明の水溶性洗浄液の使用形態については特に制限はないが、通常、前記（Ｂ）成分、防錆剤、防食剤、防腐・抗菌剤、消泡剤、水などを含む洗浄剤原液（以下、「洗浄剤原液Ａ」と称することがある。）に、前記（Ａ）成分を配合して、水溶性洗浄液原液（以下、「洗浄液原液Ｂ」と称することがある。）を調製し、この原液を水に希釈して使用する。もちろん、この場合、洗浄剤原液Ａを前もって水に希釈した後に、（Ａ）成分を配合して使用してもよく、また、（Ａ）成分のみを前もって水に希釈した後に、（Ｂ）成分を配合して使用しもよい。
前記洗浄液原液Ｂにおける各成分の含有量については、通常、（Ａ）成分を０．５〜２質量％程度を含有し、（Ｂ）成分は、前記（Ａ）成分含有量に対して、１０〜５０倍質量％程度、好ましくは１５〜３５倍質量％含有する。
前記（Ｂ）成分は、脂肪族カルボン酸成分と脂肪族アミン成分の両方を、質量比で３０：７０〜５５：４５程度、好ましくは３５：６５〜５０：５０の割合で含有するのがよい。
また、防錆剤及び防食剤は、前記（Ａ）成分含有量に対して、それぞれ０．１〜２倍質量％程度含有し、防腐・抗菌剤の含有量は適量である。
消泡剤は、前記（Ａ）成分含有量に対して、０．１〜１．０倍質量％程度含有し、水は残量である。
【００３０】
本発明の水溶性洗浄液を金属加工後のアルミニウム及びアルミニウム合金の洗浄に使用する場合、前述した洗浄液原液Ｂをそのまま用いてもよいが、一般に該原液を水に２〜１００倍程度に希釈して使用され、その希釈倍率は、被洗浄材の材質などに応じて適宜選定すればよい。
この水に希釈した当該水溶性洗浄液を、アルミニウム及びアルミニウム合金に適用する場合、そのｐＨは、良好な耐食性を有すると共に、新生面の変色を防止し、かつ防錆性及び消泡性に優れる洗浄液とするためには、９以下が好ましく、７．５〜９の範囲にあることがより好ましい。なお、上記ｐＨは、（Ｂ）成分である脂肪族カルボン酸成分と脂肪族アミン成分との比率を変えることにより、調整することができる。
本発明の水溶性洗浄液は、特にアルミニウム及びアルミニウム合金に適用されるが、アルミニウム合金としては、Ａｌ−Ｓｉ合金系、Ａｌ−Ｍｎ−（Ｍｇ）合金系、Ａｌ−Ｍｇ合金系、Ａｌ−Ｃｕ合金系、Ａｌ−Ｃｕ−Ｍｇ合金系、Ａｌ−Ｍｇ−Ｓｉ合金系、Ａｌ−Ｚｎ−Ｍｇ−（Ｃｕ）合金系、Ａｌ−Ｌｉ合金系などがある。
本発明の水溶性洗浄液は、特に金属加工後のアルミニウム及びアルミニウム合金に対して、良好な耐食性を有すると共に、新生面の変色を防止し、かつ防錆性及び消泡性に優れるなどの効果を奏する。
【実施例】
【００３１】
次に、本発明を実施例により、さらに詳細に説明するが、本発明は、これらの例によってなんら限定されるものではない。
実施例1
（１）洗浄剤原液の調製
攪拌機付き容器に、所定量のイソノナン酸、粗ドデカン二酸、１，２，３−ベンゾトリアゾール、Ｎ−メチルジエタノールアミン及びＮ−シクロヘキシルジエタノールアミンと、使用すべき量の５０％に相当する量の水道水を順に投入し、５０〜６０℃にて３０分間攪拌して、固体の溶解を確認した。
次いで、加熱を止め、残りの５０％に相当する量の水道水を投入し、１５分間攪拌した。その後、３０〜４０℃にて所定量の消泡剤［出光興産社製、商品名「クールコンセントＦＳ」、シリコーンエマルジョン系］を投入し、約２０分間攪拌することで洗浄剤原液を調製した。
この洗浄剤原液中の各成分の含有量は、イソノナン酸０．７０質量％、粗ドデカン二酸１０．３０質量％、Ｎ−メチルジエタノールアミン１０．３０質量％、Ｎ−シクロヘキシルジエタノールアミン７．００質量％、１，２，３−ベンゾトリアゾール１．００質量％、防腐・抗菌剤（イソチアゾリン系とピリジン系の混合物）０．４０質量％、消泡剤０．３０質量％、及び水７０．００質量％（合計１００．００質量％））であった。
（２）水溶性洗浄液の調製
上記（１）で得た洗浄剤原液をイオン交換水で希釈して得られた原液５質量％を含む希釈液１００ｇに、アルミ変色防止剤として、ドデシルジフェニルエーテルジスルホン酸ナトリウム（変色防止剤ａ）を加え、変色防止剤ａ０．０５質量％を含む水溶性洗浄液を調製した。この水溶性洗浄液のｐＨは８．２５であった。なお、上記ｐＨは、ｐＨ測定機器［ＤＫＫ社製、機種名「ＰＨＬ−２０」］を用い、温度２５℃にて測定した。
【００３２】
（３）水溶性洗浄液の評価
＜アルミ半浸漬試験による変色防止性の評価＞
アルミテストピースとして、長さ７５ｍｍ、幅２５ｍｍ、厚さ１ｍｍのＡ−６０６１と、長さ５６ｍｍ、幅１０ｍｍ、厚さ２．５ｍｍのＡＤＣ１２を用いた。
まず、各テストピースの両面を紙やすり（Ｃ３２０番）で均一に磨いたのち、磨いたテストピースの粉を拭き取る。次いで、ビーカーに磨いたテストピースを入れ、アセトンを該テストピースが浸るぐらいまで入れて、超音波洗浄機［アズワン社製、機種名「ＵＳＤ−２Ｒ」］で１０分間洗浄したのち、各テストピースを重ならないようにカゴに入れて乾燥させる。
次に、１００ｍＬ蓋付きサンプルびんに、被検洗浄液約２５ｍＬを入れ、磨いたテストピース全体に該洗浄液が浸るようにしたのち、テストピースを半浸漬させ、蓋をして６０℃の恒温槽に２時間静置する。その後テストピースを取り出し、水道水、アセトンの順で洗ったのち、水分を拭き取る。
このようにして得られた各テストピースについて、Ａ−６０６１気相部、Ａ−６０６１液相部、ＡＤＣ１２気相部、ＡＤＣ１２液相部の外観の変色具合を目視観察して、下記の判定基準で変色防止性を評価した。
Ｓ：変色なし
Ａ：僅かに変色
Ｂ：５０％以上変色
Ｃ：黒色に変色
＜シリンダー法試験による消泡性の評価＞
被検洗浄液１００ｍＬを共栓付き１００ｍＬメスシリンダーに入れ、５秒間激しく振ったのち、目視観察により、表面の泡が表面積の５０％以下になるまでの時間を測定し、下記の判定基準で消泡性を評価した。
Ｓ：１０秒以内に消泡する。
Ａ：３０秒以内に消泡する。
Ｃ：３０秒後に泡が残る。
これらの評価結果を、アルミ変色防止剤の種類と共に、第１表に示す。
【００３３】
参考例２〜５及び比較例１〜１５
実施例１（２）において、アルミ変色防止剤として、ドデシルジフェニルエーテルジスルホン酸ナトリウムの代わりに、第１表に示す種類のものを用いた以外は、実施例１と同様な操作を行い、水溶性洗浄液を調製し、その評価を行った。結果を第１表に示す。
【００３４】
参考例１
実施例１（２）において、アルミ変色防止剤を加えなかったこと以外は、実施例１と同様な操作を行い、水溶性洗浄液を調製し、その評価を行った。結果を第１表に示す。
【００３５】
【表１】
0005513836.tif 000004
【００３６】
【表２】
0005513836.tif 000005
【００３７】
［注］
【００３８】
第１表−１及び第１表−２において、アルミ変色防止剤の種類における各記号の意味は次のとおりである。
ａ：ドデシルジフェニルエーテルジスルホン酸ナトリウム、花王社製「ペレックスＳＳ−Ｌ」
ｂ：セチル硫酸ナトリウム、日光ケミカルズ社製「ＮＩＫＫＯＬ  ＳＣＳ」
ｃ：Ｃ12〜Ｃ14α−オレフィンスルホン化物のナトリウム塩、ライオン社製「リポランＰＢ−８００」
ｄ：テトラデセン（Ｃ12Ｈ25ＣＨ＝ＣＨ2）スルホン化物のナトリウム塩、日光ケミカルズ社製「ＮＩＫＫＯＬ  ＯＳ−１４」
ｅ：アルキルナフタレンスルホン酸ナトリウム、花王社製「ペレックス ＮＢＬ」、アルキル基の炭素数６〜１２
ｆ：有機リン酸エステル，トリエタノールアミン塩、キレスト社製「キレスライト ＡＬ−３」
ｇ：ジ−２−エチルヘキシルスルホコハク酸ナトリウム、花王社製「ペレックス ＯＴＰ」
ｈ：酸化プロピレン・酸化エチレンブロック共重合物、三洋化成社製「ニューポール ＰＥ−６２」
ｉ：酸化プロピレン・酸化エチレンブロック共重合物、三洋化成社製「ニューポール ＰＥ−６４」
ｊ：ポリイソプレンスルホン酸ナトリウム、ＪＳＲ社製「ダイナフロー ＣＳ２１０９」、ポリイソプレンの分子量；１２，０００〜１８，０００
ｋ：ドデシルベンゼンスルホン酸ナトリウム（ソフト）、花王社製「ネオプレックス Ｆ−２５」
ｍ：ドデシルベンゼンスルホン酸ナトリウム（ソフト）、花王社製「ネオプレックス Ｆ−６５」
ｎ：ドデシルベンゼンスルホン酸ナトリウム（ハード）、花王社製「ネオプレックス Ｎｏ．６」
ｏ：ポリオキシエチレンアルキルエーテル硫酸ナトリウム、花王社製「レベノール ＷＸ」
ｐ：ラウリルリン酸ナトリウム、日光ケミカルズ社製「ＮＩＫＫＯＬ ＳＬＰ−Ｎ」
ｑ：ラウリル硫酸ナトリウム、日光ケミカルズ社製「ＮＩＫＫＯＬ ＳＬＳ」
ｒ：有機酸アミン塩、キレスト社製「キレスライト ＡＬ−２」
ｓ：ミリスチル硫酸ナトリウム、日光ケミカルズ社製「ＮＩＫＫＯＬ ＳＭＳ−Ｆ」
ｔ：硬化ヤシ油脂肪酸グリセリル硫酸ナトリウム、日光ケミカルズ社製「ＮＩＫＫＯＬ ＳＧＣ−８０Ｎ」
ｕ：有機酸アミン塩、キレスト社製「キレスライトＡＬ−６」
【００３９】
第１表から分かるように、実施例１の水溶性洗浄液は、変色防止性の評価及び消泡性の評価において、「Ｂ」、「Ｃ」はない。一方、比較例１〜１５の水溶性洗浄液は、変色防止性の評価及び消泡性の評価において、１つ以上の「Ｂ」及び／又は「Ｃ」がある。
【産業上の利用可能性】
【００４０】
本発明の水溶性洗浄液は、特にアルミニウム及びアルミニウム合金用として好適であって、金属加工後のアルミニウム及びアルミニウム合金に対して、良好な耐食性を有すると共に、新生面の変色を防止し、かつ防錆性及び消泡性にも優れている。